(57)【要約】  【課題】重量物をオプション部材に載置した場合でもその物品の荷重による変形を効果的に防止でき、且つ、フリーアドレス型で使用することの妨げにならないといった、耐荷重性及び天板へのアクセス性に優れるテーブルを提供する。  【解決手段】重量物等の支持のために用いる棚板ＯＰ２等のオプション部材ＯＰを着脱可能に備えて成るテーブルＴであって、少なくとも左右に配した複数の脚体１と、これら複数の脚体１の上端部間に横架させた上フレーム部２と、この上フレーム部２の下側に配され複数の脚体１の中間部同士間に横架させた下フレーム部３と、前記上フレーム部２に支持させた天板４と、前記上フレーム部２と下フレーム部３とに着脱可能に支持され且つ前記オプション部材を取り付けるためのオプション部材取付用支柱６とを具備するようにした。【選択図】図１
2006296487.tif 000002
【特許請求の範囲】
【請求項１】
重量物等の支持のために用いる棚板等のオプション部材を着脱可能に備えて成るテーブルであって、
少なくとも左右に配した複数の脚体と、これら複数の脚体の上端部間に横架させた上フレーム部と、この上フレーム部の下側に配され複数の脚体の中間部同士間に横架させた下フレーム部と、前記上フレーム部に支持させた天板と、前記上フレーム部と下フレーム部とに着脱可能に支持され且つ前記オプション部材を取り付けるためのオプション部材取付用支柱とを具備することを特徴とするテーブル。
【請求項２】
前記オプション部材取付用支柱を、前記上フレーム部及び下フレーム部のそれぞれの上面で支持していることを特徴とする請求項１記載のテーブル。
【請求項３】
前記上フレーム部及び下フレーム部にそれぞれ載置される上鍔部及び下鍔部を備えるブラケットを具備し、このブラケットに前記オプション部材取付用支柱を支持させていることを特徴とする請求項２記載のテーブル。
【請求項４】
前記上フレーム部及び下フレーム部が、金属製のパイプ状のフレームを、それぞれ複数具備していることを特徴とする請求項１乃至３いずれか記載のテーブル。
【請求項５】
前記脚体が、前記各フレームの端部に差し込んで、そのフレームの端部を支持する共通の金属性の連結体を備えていることを特徴とする請求項４記載のテーブル。
【請求項６】
前記連結体と前記フレームとを、それらの取付方向と異なる方向から挿入するボルト等の締結部材によって取り付けるように構成していることを特徴とする請求項５記載のテーブル。
【請求項７】
前記連結体が、前記脚体の上面に支持される被支持部を備えていることを特徴とする請求項５または６記載のテーブル。
【請求項８】
前記脚体が、左右一対の端脚体と、これら端脚体の中間に配される中間脚体とを具備することを特徴とする請求項１乃至７いずれか記載のテーブル。
【請求項９】
前記端脚体が、一対の端脚支柱と、これら端脚支柱の上端部間に横架させた端脚上横架材と、この端脚上横架材の下側で端脚支柱間に横架させた端脚下横架材とを具備し、
前記端脚上横架材が、前記上フレーム部を支持する一方、前記端脚下横架材が、前記下フレーム部を支持するように構成していることを特徴とする請求項８記載のテーブル。
【請求項１０】
前記中間脚体が、一対の中間脚支柱と、これら中間脚支柱の上端部間に横架させた中間脚上横架材と、この中間脚上横架材の下側で中間脚支柱間に横架させた中間脚下横架材と、各中間脚支柱の上端部に載置されそれぞれの使用端側へ伸びる一対の中間脚上ビームとを具備し、
前記中間脚上ビームが、前記上フレーム部を支持する一方、前記中間脚支柱又は中間脚下横架材が、前記下フレーム部を支持するように構成していることを特徴とする請求項８または９記載のテーブル。
【請求項１１】
少なくとも左右に配した複数の脚体と、これら複数の脚体の上端部間に横架させた上フレーム部と、この上フレーム部の下側に配され複数の脚体の中間部同士間に横架させた下フレーム部と、前記上フレーム部に支持させた天板とを具備し、
前記上フレーム部と下フレーム部との両方に、オプション部材を直接または間接的に取り付けるためのオプション部材取付部を設けたことを特徴とするテーブル。
【発明の詳細な説明】
【技術分野】
【０００１】
本発明は、重量物等の支持のために用いる棚板等のオプション部材を着脱可能に備えたテーブルに関するものである。
【背景技術】
【０００２】
従来から、複数の作業者が利用できるようにしたフリーアドレス型のテーブルが知られている。
【０００３】
具体的にこの種のテーブルは、例えば、左右の端脚体と、これら端脚体間に配した中間脚体と、これら端脚体および中間脚体の上端部間に横架させた上フレーム部と、この上フレーム部に支持させた天板部とを具備し、さらに、オプション部材たる棚板を使用する場合には、この棚板を支持するためのオプション部材用支柱を上フレーム部に取り付けて使用するように構成されている（例えば、特許文献１参照。）。
【特許文献１】特願２００３−２８６５３３号
【発明の開示】
【発明が解決しようとする課題】
【０００４】
しかしながら、従来の構成では、例えば、オプション部材用支柱に支持させた棚板に対して、測定機器やモニタ等の重量物を載置した場合について考えると、端脚体近傍や中間脚体近傍で上フレーム部にオプション部材用支柱を支持させている際には、棚からの荷重によって上フレーム部が変形することは比較的少なく済むが、それらから離れた位置で上フレーム部にオプション部材用支柱を支持させている際には、その荷重によって上フレーム部が大きく変形してしまうといった問題点を有している。特に、天板が大きくなり、各脚体間の間隔が大きくなる場合にはその問題点が顕著に現れてしまう。
【０００５】
なお、各脚体から離れた位置に、さらに脚体を設けることにより、前述した荷重により上フレーム部が大きく変形するといったことを防止することはできるものの、その脚体と作業者の足等との干渉により自由に作業できる範囲を狭めていわゆる天板へのアクセス性を悪化させ、フリーアドレス型で使用することの弊害になってしまうといった問題点を有している。
【０００６】
本発明は、このような課題に着目してなされたものであって、主たる目的は、重量物をオプション部材に載置した場合でもその物品の荷重による変形を効果的に防止でき、且つ、フリーアドレス型で使用することの妨げにならないといった、耐荷重性及び天板へのアクセス性に優れるテーブルを提供することにある。
【課題を解決するための手段】
【０００７】
すなわち、本発明のテーブルは、重量物等の支持のために用いる棚板等のオプション部材を着脱可能に備えて成るテーブルであって、少なくとも左右に配した複数の脚体と、これら複数の脚体の上端部間に横架させた上フレーム部と、この上フレーム部の下側に配され複数の脚体の中間部同士間に横架させた下フレーム部と、前記上フレーム部に支持させた天板と、前記上フレーム部と下フレーム部とに着脱可能に支持され且つ前記オプション部材を取り付けるためのオプション部材取付用支柱とを具備することを特徴とする。
【０００８】
このようなものであれば、例えば、重量物をオプション部材に載置した際に、その荷重がオプション部材取付用支柱に加わっても、このオプション部材取付用支柱は、上フレーム部と下フレーム部とに支持されているため、上フレーム部のみで支持されている場合と比べ、上フレーム部の変形を効果的に防止することができる。また、脚体を増やすことなく、上フレーム部等の変形を防止することができるため、天板下の下肢空間を有効に活用することもできる。
【０００９】
すなわち、重量物をオプション部材に載置した場合でもその物品の荷重による変形を効果的に防止でき、且つ、フリーアドレス型で使用することの妨げにならないといった、耐荷重性及び天板へのアクセス性に優れるテーブルを提供することができる。
【００１０】
なお、耐荷重性を向上させるためには、前記オプション部材取付用支柱を、前記上フレーム部及び下フレーム部のそれぞれの上面で支持していることが好ましい。
【００１１】
オプション部材取付用支柱の取付及び取外し等の作業性を向上させつつ耐荷重性を確保するには、前記上フレーム部及び下フレーム部にそれぞれ載置される上鍔部及び下鍔部を備えるブラケットを具備し、このブラケットに前記オプション部材取付用支柱を支持させていることが望ましい。
【００１２】
無用なコストアップを防止しながら部材の剛性を確保するには、前記上フレーム部及び下フレーム部が、金属製のパイプ状のフレームを、それぞれ複数具備しているものが挙げられる。
【００１３】
各フレームを脚体に対して取付強度を確保しながら容易に取り付けられるようにするには、前記脚体が、前記各フレームの端部に差し込んで、そのフレームの端部を支持する共通の金属性の連結体を備えていることが好ましい。
【００１４】
このとき、前記連結体と前記フレームとを、それらの取付方向と異なる方向から挿入するボルト等の締結部材によって取り付けるように構成しているのであれば、良好な取付性を得られ、また、前記連結体が、前記脚体の上面に支持される被支持部を備えているのであれば、取付強度を好適に確保できる。
【００１５】
前記脚体が、左右一対の端脚体と、これら端脚体の中間に配される中間脚体とを具備するのであれば、例えば、中間脚体の接地部分を、天板の使用端側から反使用端側へ退避した位置に設けて、天板へのフリーアドレス性を有効に確保するといった設計などを容易に行うことができる。
【００１６】
本発明の端脚体の望ましい態様としては、この端脚体が、一対の端脚支柱と、これら端脚支柱の上端部間に横架させた端脚上横架材と、この端脚上横架材の下側で端脚支柱間に横架させた端脚下横架材とを具備し、前記端脚上横架材が、前記上フレーム部を支持する一方、前記端脚下横架材が、前記下フレーム部を支持するように構成しているものが挙げられる。
【００１７】
また、本発明の中間脚体の望ましい態様としては、この中間脚体が、一対の中間脚支柱と、これら中間脚支柱の上端部間に横架させた中間脚上横架材と、この中間脚上横架材の下側で中間脚支柱間に横架させた中間脚下横架材と、各中間脚支柱の上端部に載置されそれぞれの使用端側へ伸びる一対の中間脚上ビームとを具備し、前記中間脚上ビームが、前記上フレーム部を支持する一方、前記中間脚支柱又は中間脚下横架材が、前記下フレーム部を支持するように構成しているものが挙げられる。
【００１８】
本発明の望ましい他の態様のテーブルとしては、このテーブルが、少なくとも左右に配した複数の脚体と、これら複数の脚体の上端部間に横架させた上フレーム部と、この上フレーム部の下側に配され複数の脚体の中間部同士間に横架させた下フレーム部と、前記上フレーム部に支持させた天板とを具備し、前記上フレーム部と下フレーム部との両方に、オプション部材を直接または間接的に取り付けるためのオプション部材取付部を設けたものが挙げられる。
【発明の効果】
【００１９】
以上説明したように本発明のテーブルによれば、例えば、重量物をオプション部材に載置した際に、その荷重がオプション部材取付用支柱に加わっても、このオプション部材取付用支柱は、上フレーム部と下フレーム部とに支持されているため、上フレーム部のみで支持されている場合と比べ、上フレーム部の変形を効果的に防止することができる。また、脚体を増やすことなく、上フレーム部等の変形を防止することができるため、天板下の下肢空間を有効に活用することもできる。
【００２０】
すなわち、重量物をオプション部材に載置した場合でもその物品の荷重による変形を効果的に防止でき、且つ、フリーアドレス型で使用することの妨げにならないといった、耐荷重性及び天板へのアクセス性に優れるテーブルを提供することができる。
【発明を実施するための最良の形態】
【００２１】
以下、本発明の一実施形態を、図面を参照して説明する。
【００２２】
本発明に係るテーブルＴは、図１、図２、図３、図４等に示すように、左右一対の端脚体１１と、これら端脚体１１の中間に配される中間脚体１２と（以下、端脚体１１と中間脚体１２とを脚体１と総称する。）、左右の端脚体１１と中間脚体１２との上端部間に横架させた片側４本計８本の上フレーム２１（これら８本の上フレーム２１が、本願発明の「上フレーム部２」を構成する）と、この上フレーム２１の下側に配され且つ左右の端脚体１１と中間脚体１２との中間部同士間に横架させた片側２本計４本の下フレーム３１（これら４本の下フレーム３１が、本願発明の「下フレーム部３」を構成する）と、８本の上フレーム２１に適宜支持させた４枚の天板要素４１から成る天板４とを具備するに加え、オプション部材としてのデスクトップパネル本体ＯＰ１及び棚板ＯＰ２などを利用できるように、片側４本の上フレーム２１のうち内側の２本の上フレーム２１とこれと同じ片側の２本の下フレーム３１とに着脱可能に取り付けられるブラケット５と、天板４より下側でこのブラケット５に着脱可能に支持され且つ天板４より上側ではオプション部材を取りつけ可能な中央オプション支柱６（この中央オプション支柱６が本願発明の「オプション部材取付用支柱」に相当する）と、上フレーム２１の端部に着脱可能に支持され且つ天板４より上側ではオプション部材を取りつけ可能な端オプション支柱７と、これら中央オプション支柱６と端オプション支柱７との間に横架させた２本の横架オプション材８と、下フレーム部３に支持させた配線ダクト９とをさらに具備して成る。以下、各部を詳述する。
【００２３】
端脚体１１は、図４等に示すように、下端部にアジャスタを備えた前後一対の端脚支柱１１１と、これら端脚支柱１１１の上端部間に横架させた端脚上横架材１１２と、この端脚上横架材１１２の下側で端脚支柱１１１間に横架させた端脚下横架材１１３とを具備する側面視略「門型」のものであって、これら各部を、金属板の折り曲げ加工などにより形成して成るに加え、端脚上横架材１１２には６つの端部用上連結体１１４を設け、端脚下横架材１１３には２つの端部用下連結体１１５を設けて成るものとしている。
【００２４】
そして、本実施形態では、端脚上横架材１１２に設けた６つの端部用上連結体１１４が、天板要素４１の下向き面をその側縁部でそれぞれ支持するとともに、内側４つの端部用上連結体１１４が、対応する上フレーム２１の天板４側縁側の端部を連結支持するようにしている。また、端脚下横架材１１３に設けた２つの端部用下連結体１１５が、対応する下フレーム３１の天板４側縁側の端部を連結支持するように構成している。
【００２５】
なお、端部用上連結体１１４と上フレーム２１との連結支持構造、及び、端部用下連結体１１５と下フレーム３１との連結支持構造については、「上フレーム２１」の説明にて詳述する。
【００２６】
中間脚体１２は、図５等に示すように、下端部にアジャスタをそれぞれ備えた前後一対の中間脚支柱１２１と、これら中間脚支柱１２１の上端部間に横架させた中間脚上横架材１２２と、この中間脚上横架材１２２の下側で中間脚支柱１２１間に横架させた中間脚下横架材１２３と、各中間脚支柱１２１の上端部に載置されそれぞれの使用端側へ伸びる一対の中間脚上ビーム１２４とを具備する側面視略「Ｔ字型」のものであって、これら各部を、金属板の折り曲げ加工などにより形成して成るに加え、中間脚上ビーム１２４には片側２つ計４つの中間部用上連結体１２５を設け、中間脚支柱１２１及び中間脚下横架材１２３には２つ中間部用下連結体１２６を設けて成るものとしている。
【００２７】
そして、本実施形態では、中間脚上ビーム１２４に設けた４つの中間部用上連結体１２５が、上フレーム２１のテーブルＴ中央側の端部をそれぞれ支持するとともに、中間脚支柱１２１及び中間脚下横架材１２３に設けた２つ中間部用下連結体１２６が、下フレーム３１のテーブルＴ中央側の端部をそれぞれ支持するように構成している。
【００２８】
なお、中間部用上連結体１２５と上フレーム２１との連結支持構造については、この中間部用上連結体１２５に、端部用上連結体１１４と同一のものを用いているため、説明を省略する。また、中間部用下連結体１２６と下フレーム３１との連結支持構造についても同様の構造を有するものであるため、説明を省略する。
【００２９】
上フレーム２１は、図３、図５、図６等に示すように、金属製の角パイプを、天板要素４１の幅寸法よりも若干短い寸法に切断加工などして形成した上フレーム本体２１１と、この上フレーム２１の端部の側面間に横架させた断面視略Ｄ字状の横架ピン２１２とを具備するものであって、本実施形態では、左右対称形状を有するようにしている。この上フレーム本体２１１の端部の上面には、連結体と当該上フレーム２１とを連結するためのボルトを挿通するための平面視略矩形状の挿通口２１１ａを形成している。なお、この上フレーム２１の端部は、端部用上連結体１１４の下端部の形状と対応させるべく、その両側面から底面にかけて、側面視略三角形状に切り欠いた形状としている。また、本実施形態では、天板４の中央部側の曲げ剛性を大きくするため、片側４本の上フレーム２１のうち、内側２本のフレームの高さ寸法を、外側２本の上フレームの高さ寸法の略２倍に設定している（図５、図６参照）。また、横架ピン２１２は、その略中央部に、天板４の中央側上方から天板４の側縁側下方に向けて斜め貫通させた貫通孔（図示せず）を有するものである。なお、この貫通孔の直径を、締結部材たるボルト（図示せず）の頭部より小さくその軸部より大きく設定することにより、挿通口２１１ａから差し込んだボルトを、この貫通孔に差し込みつつ支持できるようにしている。
【００３０】
このような構成の上フレーム２１について、端部用上連結体１１４との連結支持構造を詳述する。
【００３１】
端部用上連結体１１４は、図６に示すように、特願２００３−２８６５３３号記載の連結体と略同様の構成を有する連結体上本体１１４ａと、この連結体上本体１１４ａの下端側に延びる連結体下本体１１４ｂと、これら連結体上本体１１４ａ及び連結体下本体１１４ｂの天板４の側縁側に連続して設けられ且つ端脚上横架材１１２の上面に支持される鍔状の被支持部１１４ｃ１を備えた連結体取付部１１４ｃとを具備し、これら各部を例えばアルミダイキャスト等により一体成形してなる金属製のブロック状をなすものである。しかして、上フレーム２１と端部用上連結体１１４とは、横架ピン２１２および連結体上本体１１４ａにおけるボルト及びナットを斜め方向に用いた取付構造を利用して連結することができる。
【００３２】
下フレーム３１は、前記内側２本の上フレーム２１と略同様の構成であるため説明を省略する。
【００３３】
天板４は、複数の天板要素４１から構成してある。具体的には、平面視矩形状をなす天板要素４１を４つ用い、そのうち２枚ずつの天板要素４１を一組としてそれらの反使用端同士を対向させて配置し、その天板要素４１の組をそれらの内側端同士を隣接させて配置することで、天板４全体の奥行き方向中央部に各天板要素４１の反使用端を集合させ、且つ奥行き方向両端部に各天板要素４１の使用端を位置付けている。なお、前後に対をなす天板要素４１の反使用端同士の間には所定距離の隙間４ｓが形成してある。なお、この隙間４ｓは、配線ダクト９の配線空間に連通させるようにしている。また、各天板要素４１の反使用端側の両端部から、天板要素４１の幅の４分の１程度内側へそれぞれ寄った位置で、この隙間４ｓの一部が他の隙間４ｓの約２倍程度に広がるように、その位置と対応する各天板要素４１の反使用端側を平面視略矩形状に切り欠いている。
【００３４】
ブラケット５は、図７、図８等に示すように、中央オプション支柱６の側面に沿って配されるブラケット本体５１と、このブラケット本体５１の上端縁を略直角に屈曲させて成り且つ前記内側２本の上フレーム２１の上面にそれぞれ載置される上鍔部５２と、ブラケット本体５１の下端縁を上鍔部５２と反対方向に略直角に屈曲させて成り且つした２本の下フレーム３１の上面にそれぞれ載置される下鍔部５３と、ブラケット本体５１の略中央部の両側縁をそれぞれ下鍔部５３と同じ側に略直角に屈曲させて成る一対の横鍔部５４とを具備し、これら各部を、金属板の折り曲げ加工などにより形成して成る。
【００３５】
より具体的には、ブラケット本体５１は、前記内側２本の上フレーム２１間に配され且つその間隔と略同一の幅寸法を有する略横長矩形状を有する上片５１１と、この上片５１１の中央部下端縁から連続して垂下し且つ上片５１１より幅狭の略縦長矩形状を有する中片５１２と、この中片５１２の下端縁から連続して垂下し且つ下鍔部５３に向けて漸次幅広の三角形状を有する下片５１３とを具備するものである。また、中片５１２には、中央オプション支柱６を側方からネジ止めするためのネジ挿通孔５１２ａを設けている。
【００３６】
上鍔部５２は、前記内側２本の上フレーム２１の外側寸法間と略同一の幅寸法を有する平面視略矩形状のものであって、その両端部に上フレーム２１取付用のネジ孔５２ａを設けている。
【００３７】
下鍔部５３は、２本の下フレーム３１の外側寸法間と略同一の幅寸法を有する平面視略矩形状のものであって、その両端部に下フレーム３１取付用のネジを挿通するためのネジ挿通孔５３ａを設けるとともにその内側に中央オプション支柱６取付用のネジを挿通するためのネジ挿通孔５３ｂを設けている。
【００３８】
横鍔部５４は、ブラケット本体５１の中片５１２と略同一の高さ寸法を有する縦長略矩形状のものであって、一対の横鍔部５４間の寸法を、中央オプション支柱６の奥行き寸法と略一致させている。
【００３９】
中央オプション支柱６は、図９等に示すように、平面視略矩形状を成し且つ金属製の角パイプを所定の高さ寸法に切断加工などして形成した中央オプション支柱本体６１と、この中央オプション支柱本体６１よりも幅寸法及び奥行き寸法とも小さく構成され且つこの中央オプション支柱本体６１の内側面に沿って設けた平面視略矩形状を成す中央オプション支柱内側部材６２とを具備するものである。そして、中央オプション支柱本体６１の下端部には、ブラケット５にネジ止めするためのナット部（図示せず）を設けている。本実施形態では、中央オプション支柱本体６１の底面と側面とにそのナット部を埋設しているが、実施態様に応じて適宜変更可能である。また、中央オプション支柱本体６１には、その内側面に縦２列を成し且つ所定ピッチで配した複数の第１取付孔６１ａを設けている。また、中央オプション支柱内側部材６２には、その前向き面と後向き面との両方に所定ピッチで配した複数の第２取付孔６２ａを設けている。本実施形態では、第１取付孔６１ａを利用して、棚板ＯＰ２の側端部を支持する棚ブラケットＯＰ３（図１参照）を取り付けられるようにしているとともに、第２取付孔６２ａを利用してデスクトップパネル本体ＯＰ１を取り付けられるようにしている。なお、第２取付孔６２ａを利用してデスクトップパネル本体ＯＰ１を取り付けた場合でも、第１取付孔６１ａに棚ブラケットＯＰ３を取り付けられるように、第１取付孔６１ａの配置位置を第２取付孔６２ａの配置位置よりも使用端側に寄せるようにしている。
【００４０】
端オプション支柱７は、天板４より上側の部分では中央オプション支柱６と略同様の構造を有するものである。そして、その先端高さ位置を、中央オプション支柱６の先端高さ位置と略一致させている。
【００４１】
横架オプション材８は、断面視略縦長矩形状を成し金属製の角パイプを所定の幅寸法に切断加工などして形成したものである。
【００４２】
以下、テーブルＴの使用方法を具体的に説明する。
【００４３】
図示しない測定器やモニタ等、比較的重量のある物品を棚板ＯＰ２に載置すると、その荷重は、中央オプション支柱６及び端オプション支柱７に加わる。このとき、中央オプション支柱６は、ブラケット５を介して上下方向に配した上フレーム２１及び下フレーム３１に支持されているため、上フレーム２１のみで支持されている場合と比べ、上フレーム２１の変形は格段に少なくなる。また、物品を棚板ＯＰ２に載置しない場合でも、中央オプション支柱６と上下方向に配した上フレーム２１及び下フレーム３１等とによって、下フレーム３１が無い場合に比して剛性を確保できるため、がたつきを生じるおそれが少なくできる。さらに、中間脚体１２の中間脚支柱１２１は、天板４の反使用端側に退避した位置にあるため、フリーアドレス的に当該テーブルＴを使用することに妨げとならない。
【００４４】
このように、本実施形態に係るテーブルＴによれば、比較的重量のある物品（例えば、測定機器やモニタ等）を棚板ＯＰ２に載置した際に、その荷重が中央オプション支柱６に加わっても、この中央オプション支柱６は、ブラケット５を介して上フレーム２１と下フレーム３１とに支持されているため、上フレーム２１のみで支持されている場合と比べ、上フレーム２１の変形を効果的に防止することができる。また、端脚体１１或いは中間脚体１２を増やすことなく、上フレーム２１等の変形を防止することができるため、天板４下の下肢空間を有効に活用することもできる。
【００４５】
すなわち、重量物をオプション部材ＯＰに載置した場合でもその物品の荷重による上フレーム２１等の変形を効果的に防止でき、且つ、フリーアドレス型で使用することの妨げにならないといった、耐荷重性及び天板へのアクセス性に優れるテーブルＴを提供することができる。
【００４６】
また、中央オプション支柱６を、ブラケット５を介して、上フレーム部２及び下フレーム部３のそれぞれの上面で支持しているため、優れた耐荷重性を得られる。
【００４７】
上フレーム２１及び下フレーム３１にそれぞれ載置される上鍔部５２及び下鍔部５３を備えるブラケット５を具備し、このブラケット５に中央オプション支柱６を支持させているため、中央オプション支柱６の取付及び取外し等の作業性を向上させつつ耐荷重性を確保することができる。
【００４８】
上フレーム部２及び下フレーム部３が、金属製のパイプ状の上フレーム２１及び下フレーム３１をそれぞれ複数具備しているため、無用なコストアップを防止しながら部材の剛性を確保することができる。
【００４９】
脚体１が、各フレーム２１、３１の端部に差し込んで、そのフレームの端部を支持する金属性の連結体（端部用上連結体１１４、端部用下連結体１１５、中間部用上連結体１２５、中間部用下連結体１２６）を備えているため、各フレーム２１、３１を脚体に対して取付強度を確保しながら容易に取り付けることができる。
【００５０】
連結体（端部用上連結体１１４、端部用下連結体１１５、中間部用上連結体１２５、中間部用下連結体１２６）とフレーム２１、３１とを、それらの取付方向と異なる方向から挿入するボルト等の締結部材によって取り付けるように構成しているため、良好な取付性を得られる。また、連結体（端部用上連結体１１４、端部用下連結体１１５、中間部用上連結体１２５、中間部用下連結体１２６）が、脚体１の端脚上横架材１１２などの上面に支持される被支持部１１４ｃ１を備えているため、取付強度を好適に確保できる。
【００５１】
脚体１が、左右一対の端脚体１１と、これら端脚体１１の中間に配される中間脚体１２とを具備するようにしているため、中間脚体１２の中間脚支柱１２１を、天板４の使用端側から反使用端側へ退避した位置に設けて、天板４へのフリーアドレス性を有効に確保するといった設計などを容易に行うことができる。
【００５２】
なお、本発明は、以上に詳述した実施形態に限られるものではない。
【００５３】
例えば、棚板ＯＰ２等のオプション部材を取り付けるための中央オプション支柱６を、オプション部材取付部としてのブラケット５を介して、上フレーム２１と下フレームとに支持させているが、このブラケット５を用いずにオプション部材取付部としてのボルト等を利用して、それらに直接支持させてもよい。
【００５４】
また、棚板ＯＰ２、棚ブラケットＯＰ３および中央オプション支柱６を一体的に構成し、これをオプション部材として上フレーム２１と下フレームとに直接あるいは間接的に支持させるように構成することを妨げない。
【００５５】
また、例えば、中央オプション支柱６に取付可能な集中コンセントをオプション部材とするなど、オプション部材も本実施形態に挙げたものに限られない。
【００５６】
また、一対の中央オプション支柱６で、オプション部材を支持するといった態様も考えられる。
【００５７】
また、天板４の構成態様は、本実施形態のものに限られず、例えば、天板要素４１の数を増減させても良いし又形状なども任意でよい。
【００５８】
その他、各部の具体的構成についても上記実施形態に限られるものではなく、本発明の趣旨を逸脱しない範囲で種々変形が可能である。
【図面の簡単な説明】
【００５９】
【図１】本発明の一実施形態に係るテーブルを示す全体斜視図。
【図２】同実施形態におけるテーブルを示す正面図。
【図３】同実施形態におけるテーブルを示す底面図。
【図４】同実施形態におけるテーブルを示す側面図。
【図５】同実施形態における中間脚体を示す図。
【図６】同実施形態におけるフレームに係る取付要部を示す図。
【図７】同実施形態におけるブラケットの取付態様を示す図。
【図８】同実施形態におけるブラケットを示す正面図、側面図、平面図。
【図９】同実施形態におけるオプション部材係る取付要部を示す図。
【符号の説明】
【００６０】
Ｔ・・・・・・・テーブル
ＯＰ１・・・・・オプション部材（デスクトップパネル本体）
ＯＰ２・・・・・オプション部材（棚板）
１・・・・・・・脚体
２・・・・・・・上フレーム部
３・・・・・・・下フレーム部
４・・・・・・・天板
５・・・・・・・ブラケット
６・・・・・・・オプション部材取付用支柱（中央オプション支柱）
１１・・・・・・端脚体
１２・・・・・・中間脚体
２１・・・・・・フレーム（上フレーム）
３１・・・・・・フレーム（下フレーム）
５２・・・・・・上鍔部
５３・・・・・・下鍔部
１１１・・・・・端脚支柱
１１２・・・・・端脚上横架材
１１３・・・・・端脚下横架材
１１４・・・・・連結体（端部用上連結体）
１１４ｃ１・・・被支持部
１１５・・・・・連結体（端部用下連結体）
１２１・・・・・中間脚支柱
１２２・・・・・中間脚上横架材
１２３・・・・・中間脚下横架材
１２４・・・・・中間脚上ビーム
１２５・・・・・連結体（中間部用上連結体）
１２６・・・・・連結体（中間部用下連結体）
【図１】
2006296487.tif 000003
【図２】
2006296487.tif 000004
【図３】
2006296487.tif 000005
【図４】
2006296487.tif 000006
【図５】
2006296487.tif 000007
【図６】
2006296487.tif 000008
【図７】
2006296487.tif 000009
【図８】
2006296487.tif 000010
【図９】
2006296487.tif 000011